(57)【要約】【課題】断熱材を作製するための大型の金型設備を必要とすることなく、生産コストも安価で済み、貯湯タンクの保温や断熱効果に優れるタンクユニットを提供すること。【解決手段】貯湯タンク２２と所定間隔を存して該貯湯タンク２２全体を囲む合成樹脂製の隔壁体５０Ａ、５０Ｂを設け、この隔壁体５０Ａ、５０Ｂを合致させて貯湯タンク２２の全周囲を所定間隔を存して囲った後に金属線材などの締着具を用いて、この囲繞状態を保持する。前記一方の隔壁体５０Ａの天面には投入口５１を開設し、この投入口５１を介して隔壁体５０Ａ、５０Ｂと貯湯タンク２２との間の空間内に、例えば発泡スチロールなどの断熱性を有する発泡前の粒状の発泡原料（ビーズ）５２を底部から頂部まで満遍なく装填する。【選択図】図４
2008064366.tif 000002
【特許請求の範囲】
【請求項１】
ヒートポンプサイクルにより加熱される湯を貯留する貯湯タンクをユニット本体内に備えたタンクユニットにおいて、前記貯湯タンクと所定間隔を存して該貯湯タンクを囲むように隔壁体を設け、この隔壁体と前記貯湯タンクとの間に発泡前の発泡原料を装填したことを特徴とするタンクユニット。
【請求項２】
ヒートポンプサイクルにより加熱される湯を貯留する貯湯タンクをユニット本体内に備えたタンクユニットにおいて、前記貯湯タンクと所定間隔を存して該貯湯タンク全体を囲むように隔壁体を設け、この隔壁体の上部に開設した投入口を介してこの隔壁体と前記貯湯タンクとの間に発泡前の粒状の発泡原料を装填し、この発泡原料及びこの発泡原料相互間の空気により前記貯湯タンクを保温することを特徴とするタンクユニット。
【発明の詳細な説明】
【技術分野】
【０００１】
本発明は、ヒートポンプサイクルにより加熱される湯を貯留する貯湯タンクをユニット本体内に備えたタンクユニットに関する。
【背景技術】
【０００２】
従来、この種の給湯装置において、貯湯タンクの保温や断熱のため、前記貯湯タンク外郭を耐熱性発泡ポリスチレンを成型加工した複数の成型断熱材で囲繞するもの（例えば、特許文献１参照）が知られている。また、発泡スチロールで囲繞するものもある。
【特許文献１】特開２００２−３１０５１１号公報
【発明の開示】
【発明が解決しようとする課題】
【０００３】
しかし、これらは大型の金型設備が必要であり、大掛かりで生産コスト高である。
【０００４】
そこで本発明は、上述の実情に鑑みてなされたものであり、断熱材を作製するための大型の金型設備を必要とすることなく、生産コストも安価で済み、貯湯タンクの保温や断熱効果に優れるタンクユニットを提供することを目的とする。
【課題を解決するための手段】
【０００５】
このため第1の発明は、ヒートポンプサイクルにより加熱される湯を貯留する貯湯タンクをユニット本体内に備えたタンクユニットにおいて、前記貯湯タンクと所定間隔を存して該貯湯タンクを囲むように隔壁体を設け、この隔壁体と前記貯湯タンクとの間に発泡前の発泡原料を装填したことを特徴とする。
【０００６】
第２の発明は、ヒートポンプサイクルにより加熱される湯を貯留する貯湯タンクをユニット本体内に備えたタンクユニットにおいて、前記貯湯タンクと所定間隔を存して該貯湯タンク全体を囲むように隔壁体を設け、この隔壁体の上部に開設した投入口を介してこの隔壁体と前記貯湯タンクとの間に発泡前の粒状の発泡原料を装填し、この発泡原料及びこの発泡原料相互間の空気により前記貯湯タンクを保温することを特徴とする。
【発明の効果】
【０００７】
本発明によれば、断熱材を作製するための大型の金型設備を必要とすることなく、生産コストも安価で済み、貯湯タンクの保温や断熱効果に優れるタンクユニットを提供することができる。
【発明を実施するための最良の形態】
【０００８】
以下、図１乃至図４に基づき、本発明の実施形態について説明する。先ず、本発明に係る貯湯タンクユニットを備えた給湯装置の実施形態について、説明する。図１は本発明の給湯装置の設置状態を説明する説明図、図２は全体構成の概略構成図、図３は説明の便宜のためにユニット本体を外して隔壁体で囲った状態の貯湯タンクユニットの斜視図、図４は説明の便宜のために貯湯タンクユニットの一部縦断せる側面図である。
【０００９】
図１において、ヒートポンプ式の給湯装置１０は、ヒートポンプユニット１１と、このヒートポンプユニット１１に配管接続される貯湯タンクユニット１２とで構成され、これらヒートポンプユニット１１及び貯湯タンクユニット１２は、通常、屋外に設置され、ここでは集合住宅などの高層階のベランダなどに設置するものとして説明する。また、これらヒートポンプユニット１１及び貯湯タンクユニット１２は、共通の外装ケース内に一体に組み込む一体型とすることもできる。
【００１０】
次に、図２を用いて説明すると、前記ヒートポンプユニット１１は、ユニット本体１１Ａ内に、ロータリー２段圧縮機などの能力可変の圧縮機１３、加熱装置としての冷媒対水熱交換器１４、電動膨張弁などの減圧装置１５、蒸発器１６、該蒸発器１６に通風して空気と熱交換させる熱交換用送風機１９、アキュームレータ１７及びヒートポンプ側制御装置１８が収容されている。そして、前記圧縮機１３、冷媒対水熱交換器１４を構成する放熱器１４Ａ、減圧装置１５、蒸発器１６及びアキュームレータ１７は、冷媒配管２０にて環状に接続されており、二酸化炭素を冷媒として圧縮機１３で超臨界圧に圧縮するヒートポンプサイクルＸを構成している。また、前記冷媒対水熱交換器１４は前記放熱器１４Ａと受熱器１４Ｂとで構成される。
【００１１】
前記貯湯タンクユニット１２は、横断平面がコ字形状のユニット本体１２Ａ内に、ステンレス鋼板製の縦長な貯湯タンク２２、前記貯湯タンク２２の底部に接続される給水配管２３、給水開閉弁２４、分岐給水配管２５、貯湯用配管２６、貯湯用循環ポンプ２７、追い焚き用配管２８、追い焚き用熱交換器２９、風呂水用配管３０、風呂水用循環ポンプ３１、追い焚き用循環ポンプ３２、給湯用配管３３、混合弁３４、風呂給湯開閉弁３５、タンク側制御装置３６等を収容している。２１は圧力逃し弁で、給湯用配管３３に接続される。
【００１２】
前記貯湯用配管２６の出口部２６Ａは前記貯湯タンク２２の底部に接続され、貯湯用配管２６の入口部２６Ｂは前記貯湯タンク２２の頂部に接続されている。また、追い焚き用配管２８の出口部２８Ａ及び給湯用配管３３は、それぞれ前記貯湯タンク２２の頂部に接続されている。
【００１３】
３７は前記ヒートポンプ側制御装置１８とタンク側制御装置３６とを配線接続する通信線、３８は台所用リモートコントローラ、３９は風呂用リモートコントローラであり、これら各リモートコントローラ３８、３９はタンク側制御装置３６に配線接続されている。４０は風呂の浴槽を示している。
【００１４】
ここで、風呂の浴槽４０に注湯する湯張りを行う場合は、風呂用リモートコントローラ３９の風呂湯張りスイッチ（図示せず）を押すと、貯湯タンク２２内上部から給湯用配管３３へ押し出された高温の湯が混合弁３４へ流れ、ここで水道配管２３及び分岐給水管２５から給水される水道水と混合されて、給湯管４１を介して予め設定された温度の湯が浴槽４０へ注湯され、所定の湯量が注湯されると湯張りが完了する。
【００１５】
上記したように、浴槽４０などの利用部への給湯が行われると、貯湯タンク２２内の高温の湯が消費され、貯湯タンク２２内における高温の湯の層が減少し、この高温の湯は貯湯タンク２２内の上部にのみ貯留し、貯湯タンク２２内の中間部や下部は、温度の低い湯或いは水が貯留された状態となり、各温度の湯層が形成される。
【００１６】
次に、お湯の沸き上げ運転について説明する。先ず、ヒートポンプユニット１１の運転開始により、ヒートポンプサイクルＸの圧縮機１３が起動すると、二酸化炭素の冷媒が圧縮機１３によって２段圧縮され、この圧縮機１３で圧縮されて吐出した超臨界圧の高温・高圧の液状の冷媒は放熱器１４Ａで放熱して受熱器１４Ｂを流れる水と熱交換し、その水を加熱する。
【００１７】
そして、前記放熱器１４Ａで放熱して温度の低下した冷媒は、減圧装置１５で減圧されて低圧となった後、蒸発器１６に流れ、この蒸発器１６で空気から吸熱して蒸発し、低温・低圧のガス状の冷媒となり、アキュームレータ１７に流れ、このアキュームレータ１７から前記圧縮機１３に吸入され再び圧縮される。
【００１８】
上述のヒートポンプユニット１１の運転開始に伴い、貯湯タンクユニット１２内の貯湯用循環ポンプ２７が起動し、この循環ポンプ２７の運転により、前記貯湯タンク２２内下部の低温或いは常温の水が、その出口部２６Ａから貯湯用配管２６内へ流れ、貯湯用循環ポンプ２７を介して受熱器１４Ｂへ流れ、ここで前記放熱器１４Ａ内に流れる高温・高圧の冷媒と熱交換して加熱される。そして、この受熱器１４Ｂで加熱された高温の湯は前記入口部２６Ｂから貯湯タンク２２の上部に流入し、沸き上げ運転の時間の経過に伴って、貯湯タンク２２内には８０℃以上の湯の貯留量が徐々に増加し、この高温の湯の湯層が貯湯タンク２２内の下部の一定位置に至ると、沸き上げ運転が完了する。
【００１９】
また、風呂水用循環ポンプ３１、追い焚き用循環ポンプ３２を運転することにより、貯湯タンク２２の高温水と浴槽４０の温水を追い焚き用熱交換器２９で熱交換し、浴槽４０の温水の追い焚きを行うこともできる。
【００２０】
次に、図３及び図４について説明するが、前記貯湯タンク２２と所定間隔を存して該貯湯タンク２２全体を囲む合成樹脂製の隔壁体５０Ａ、５０Ｂを設け、この隔壁体５０Ａ、５０Ｂを合致させて貯湯タンク２２の全周囲を所定間隔を存して囲った後に金属線材などの締着具（図示せず）を用いて、この囲繞状態を保持する。  
【００２１】
前記一方の隔壁体５０Ａの天面には投入口５１を開設し、この投入口５１を介して隔壁体５０Ａ、５０Ｂと前記貯湯タンク２２との間の空間内に、例えば発泡スチロールなどの断熱性を有する発泡前の粒状の発泡原料（ビーズ）５２を底部から頂部まで満遍なく装填する。
【００２２】
従って、投入口５１を介して隔壁体５０Ａ、５０Ｂと貯湯タンク２２との間の空間内に発泡原料５２を装填することにより、この発泡原料５２及びこの発泡原料５２相互間の空気（空気層）により貯湯タンク２２を保温・断熱することができる。しかも、貯湯タンク２２を保温・断熱するための断熱材を作製するための大型の金型設備を必要とすることなく、生産コストも安価で済み、貯湯タンク２２の保温や断熱効果に優れる貯湯タンクユニット１２を提供することができる。
【００２３】
なお、４５は前記ユニット本体１２Ａの底面１２Ｂ上に固定された複数の支持脚で、前記隔壁体５０Ａ、５０Ｂを貫通した状態で、前記貯湯タンク２２を支持する。４６は複数の支持台で、前記ユニット本体１２Ａの底面１２Ｂ下部に固定される。
【００２４】
そして、前記ユニット本体１２Ａの前部左側部には、上部から順に前記タンク側制御装置３６を構成するマイクロコンピュータなどの各種電子部品が搭載されたプリント基板、このプリント基板に接続される試運転スイッチや電力会社との時間帯・料金に関する契約形態に応じて選択される電力契約設定スイッチなどが設けられた基板操作部、この基板操作部に接続されると共に２００ボルト電源にも接続されるブレーカ、台所用リモートコントローラ３８及び風呂用リモートコントローラ３９と接続される通信線やユニット本体１２Ａ外からの電源線などが接続される端子台、追い焚き用循環ポンプ３２、貯湯用循環ポンプ２７、風呂水用循環ポンプ３１などを寄せ集めて偏らせて配設する。
【００２５】
そして、前記基板操作部や端子台などの前方のユニット本体１２Ａ前面開口部には開閉可能な一方の扉体５９が設けられ、前記基板操作部や端子台の右方のユニット本体１２Ａ前面開口部には開閉可能な他方の扉体６０が設けられる。従って、前記ユニット本体１２Ａの前面開口部を開閉可能な左右の２つの縦長の扉体５９、６０が配設され、前記基板操作部前方の前面開口部を開閉する一方の扉体５９を他方の扉体６０より略１／３程度の面積にして小さく構成する。
【００２６】
なお、前記扉体５９には前記ブレーカを操作できるように、このブレーカに対応した位置に開閉可能な操作扉６１が設けられ、前記扉体６０には圧力逃し弁２１を操作できるように、この圧力逃し弁２１に対応した位置に開閉可能な操作扉６２が設けられる。
【００２７】
以上本発明の実施態様について説明したが、上述の説明に基づいて当業者にとって種々の代替例、修正又は変形が可能であり、本発明の主旨を逸脱しない範囲で前述の種々の代替例、修正又は変形を包含するものである。
【図面の簡単な説明】
【００２８】
【図１】本発明の給湯装置の設置状態を説明する説明図である。
【図２】同じく全体構成の概略構成図である。
【図３】説明の便宜のためにユニット本体を外して隔壁体で囲った状態の貯湯タンクユニットの斜視図である。
【図４】説明の便宜のために貯湯タンクユニットの一部縦断せる側面図である。
【符号の説明】
【００２９】
Ｘ      ヒートポンプサイクル
１１    ヒートポンプユニット
１２    貯湯タンクユニット
１２Ａ  ユニット本体
２２    貯湯タンク
５０Ａ、５０Ｂ  隔壁体
５１    投入口
５２    発泡原料
【図１】
2008064366.tif 000003
【図２】
2008064366.tif 000004
【図３】
2008064366.tif 000005
【図４】
2008064366.tif 000006